(57)【要約】      （修正有）【課題】装置のコンパクト化及び容易な位置決めを達成するレーザポイント投射装置を提供する。【解決手段】投射装置１０は、同一の直線の二つの方向に沿ってそれぞれ第１のアンカーポイントと第２のアンカーポイントとが投射される光源群を備え、ハウジング部１１と本体部１２とを備える。ハウジング部は、本体部の外周に嵌合され、ハウジング部と本体部とが相対移動することができ、本体部が第１のアンカーポイントの投射方向に沿って第１の位置に移動すると、光源群はオフにされる。本体部が第２のアンカーポイントの投射方向に沿って第２の位置に移動すると、光源群はオンにされる。ハウジング部は、第２のアンカーポイントの投射方向に沿った端部に少なくとも一つの開口部１１４が設けられ、第１のアンカーポイントに近接するハウジング部の端部と本体部との間に中空空間が形成され、開口部は覗き窓として中空空間と外部空間とを連通する。【選択図】図１
0003227853.tif 000002
【実用新案登録請求の範囲】
【請求項１】
同一の直線の二つの方向に沿ってそれぞれ第１のアンカーポイントと第２のアンカーポイントとが投射される光源群を備えるレーザポイント投射装置であって、
前記レーザポイント投射装置は、ハウジング部と、本体部とを備え、
前記ハウジング部は、前記本体部の外周に嵌合され、前記ハウジング部と前記本体部とが相対に移動することができ、
前記本体部が前記第１のアンカーポイントの投射方向に沿って第１の位置に移動すると、前記レーザポイント投射装置は第１の状態になり、前記光源群をオフにし、
前記本体部が前記第２のアンカーポイントの投射方向に沿って第２の位置に移動すると、前記レーザポイント投射装置は第２の状態になり、前記光源群をオンにし、
前記第２のアンカーポイントの投射方向に沿う前記ハウジング部の端部に少なくとも一つの開口部が設けられ、前記レーザポイント投射装置は前記第２の状態になるとき、前記第１のアンカーポイントに近接する前記ハウジング部の端部と前記本体部との間に中空空間が形成され、前記開口部は覗き窓として前記中空空間と外部空間とを連通する、
ことを特徴とするレーザポイント投射装置。
【請求項２】
前記開口部が扇形であることを特徴とする請求項１に記載のレーザポイント投射装置。
【請求項３】
前記レーザポイント投射装置は、柱体に形成され、前記柱体の軸線が前記直線と平行になることを特徴とする請求項１又は２に記載のレーザポイント投射装置。
【請求項４】
前記ハウジング部の表面に第１の螺旋状傾斜面を備える第１の突起部が設けられ、
前記本体部の表面に第２の螺旋状傾斜面を備える第２の突起部が設けられ、
前記第１の螺旋状傾斜面と前記第２の螺旋状傾斜面とが対向して配置され、前記本体部が前記第１の位置と前記第２の位置とを切り替えるとき、前記第１の螺旋状傾斜面と前記第２の螺旋状傾斜面とが螺合される、ことを特徴とする請求項１に記載のレーザポイント投射装置。
【請求項５】
前記第１の突起部は前記第１の突起部の上端に設けられた第１の平面をさらに備え、前記第１の平面は前記レーザポイント投射装置の柱体の底面に平行であり、
前記第２の突起部は前記第２の突起部の下端に設けられた第２の平面をさらに備え、前記第２の平面は前記第１の平面に平行であり、
前記レーザポイント投射装置は前記第１の状態になるとき、前記第１の螺旋状傾斜面と前記第２の螺旋状傾斜面とが接触され、
前記レーザポイント投射装置は前記第２の状態になるとき、前記本体部を回転して前記第１の平面と前記第２の平面とが接触され、前記本体部が前記ハウジング部に対して移動することを防ぐ、ことを特徴とする請求項４に記載のレーザポイント投射装置。
【請求項６】
前記ハウジング部の表面に軸方向に沿って延在する第１の溝が設けられ、
前記本体部の表面に前記第１の溝に平行な方向に延在する第３の突起部が設けられ、
前記第３の突起部は前記第１の溝に嵌入され、前記本体部は前記ハウジング部に対して前記軸方向に沿って移動可能である、ことを特徴とする請求項１に記載のレーザポイント投射装置。
【請求項７】
前記ハウジング部の表面に前記レーザポイント投射装置の柱体の半径方向に沿って延在する第２の溝が設けられ、
前記本体部の表面に前記第２の溝に平行な方向に延在する第４の突起部が設けられ、
前記レーザポイント投射装置は前記第２の状態になるとき、前記第４の突起部が前記第２の溝に嵌入され、前記本体部が前記ハウジング部に対して移動することを防ぐ、ことを特徴とする請求項６に記載のレーザポイント投射装置。
【請求項８】
前記レーザポイント投射装置はスイッチをさらに備え、
前記レーザポイント投射装置が前記第１の状態になるとき、前記スイッチがトリガされることなく、前記レーザポイント投射装置をオフにし、
前記レーザポイント投射装置が前記第２の状態になるとき、前記スイッチがトリガされ、前記レーザポイント投射装置をオンにする、ことを特徴とする請求項１又は２に記載のレーザポイント投射装置。
【請求項９】
前記スイッチは、前記本体部の上端側面に設けられると共に、前記レーザポイント投射装置内の電源回路と直列接続されたプッシュ式トリガスイッチであり、
前記レーザポイント投射装置はそれぞれ前記第１の状態又は前記第２の状態になるとき、前記スイッチが押下される状態又は跳ね上がる状態になり、前記電源回路の切断又は導通の状態を切り替える、ことを特徴とする請求項８に記載のレーザポイント投射装置。
【請求項１０】
前記レーザポイント投射装置は更に、前記ハウジング部の表面に設けられると共に、外部操作によって前記レーザポイント投射装置を開閉するスイッチボタンを備える、ことを特徴とする請求項１又は２に記載のレーザポイント投射装置。
【考案の詳細な説明】
【技術分野】
【０００１】
本考案は、レーザ測定の技術分野に属し、特にレーザポイント投射装置に関する。
【背景技術】
【０００２】
現在、レーザ装置は、技術工程分野に応用されるのは非常に普及しており、建築の施工分野、鉱業分野、交通インフラ建設分野では、多くのレーザ装置で位置決め、測距を行う必要があり、高精度、長距離測定が可能などの利点がある。現在、建築施工分野において最も一般的なものはレーザポイント投射装置であり、その投射したレーザの幾何学的特徴によって異なる製品に分けることができ、例えば、点を投影するレーザ装置、水平な直線を投影する線状のレーザ装置、垂直に交差する直線を投影するレーザ装置などである。
【０００３】
従来技術のポインタ装置は、天井に対して関連作業を行うとき、その操作は煩雑で、ユーザは、通常、地面のある位置に対して天井に対応する点を見つけて、そして、アンカーポイントを行って施工する。既存の上下の二つのアンカーポイントを投影するポインタ装置は、地面に配置される場合、下のアンカーポイントが見えないため、特定の支持体を設置して作業を完成する必要があり、プロセスが複雑で、作業効率は良くない。従って、天井の作業のみに対するコンパクトなレーザポイント投射装置を設計し、ユーザにとって使用し易くする必要がある。
【先行技術文献】
【特許文献】
【０００４】
【特許文献１】（特になし）
【考案の概要】
【考案が解決しようとする課題】
【０００５】
上記の技術的欠陥を克服するために、本考案は、レーザポイント投射装置のコンパクト化及び容易な位置決めという技術的効果を達成することを目的とする。
【課題を解決するための手段】
【０００６】
本考案は、レーザポイント投射装置を開示する。前記レーザポイント投射装置は、同一の直線の二つの方向に沿ってそれぞれ第１のアンカーポイントと第２のアンカーポイントとが投射される光源群を備え、前記レーザポイント投射装置は、ハウジング部と、本体部と、を備える。前記ハウジング部は、前記本体部の外周に嵌合され、前記ハウジング部と前記本体部とが相対に移動することができる。前記本体部が前記第１のアンカーポイントの投射方向に沿って第１の位置に移動すると、前記レーザポイント投射装置は第１の状態になり、前記光源群をオフにする。前記本体部が前記第２のアンカーポイントの投射方向に沿って第２の位置に移動すると、前記レーザポイント投射装置は第２の状態になり、前記光源群をオンにする。前記第２のアンカーポイントの投射方向に沿う前記ハウジング部の端部に少なくとも一つの開口部が設けられ、前記レーザポイント投射装置は第２の状態になるとき、前記第１のアンカーポイントに近接する前記ハウジング部の端部と前記本体部との間に中空空間が形成され、前記開口部は覗き窓として前記中空空間と外部空間とを連通する。
【０００７】
好ましくは、前記開口部が扇形である。
好ましくは、前記レーザポイント投射装置は、柱体に形成され、前記柱体の軸線が前記直線に平行する。
【０００８】
好ましくは、前記ハウジング部の表面に第１の螺旋状傾斜面を備える第１の突起部が設けられている。前記本体部の表面に第２の螺旋状傾斜面を備える第２の突起部が設けられている。前記第１の螺旋状傾斜面と前記第２の螺旋状傾斜面とが対向して配置され、前記本体部は前記第１の位置と前記第２の位置とを切り替えるとき、前記第１の螺旋状傾斜面と前記第２の螺旋状傾斜面とが螺合される。
【０００９】
好ましくは、前記第１の突起部は前記第１の突起部の上端に設けられた第１の平面をさらに備え、前記第１の平面は前記柱体の底面に平行する。前記第２の突起部は前記第２の突起部の下端に設けられた第２の平面をさらに備え、前記第２の平面は前記第１の平面に平行する。前記レーザポイント投射装置は第１の状態になるとき、前記第１の螺旋状傾斜面と前記第２の螺旋状傾斜面とが接触される。前記レーザポイント投射装置は第２の状態になるとき、前記本体部を回転して前記第１の平面と前記第２の平面とが接触され、前記本体部は前記ハウジング部に対して移動することを防ぐ。
【００１０】
好ましくは、前記ハウジング部の表面に前記軸方向に沿って延在する第１の溝が設けられている。前記本体部の表面に前記第１の溝に平行する方向に延在する第３の突起部が設けられている。前記第３の突起部は前記第１の溝に嵌入され、前記本体部は前記ハウジング部に対して前記軸方向に沿って移動させる。
【００１１】
前記ハウジング部の表面に前記柱体の半径方向に沿って延在する第２の溝が設けられている。前記本体部の表面に前記第２の溝に平行する方向に延在する第４の突起部が設けられている。前記レーザポイント投射装置は第２の状態になるとき、前記第４の突起部は前記第２の溝に嵌入され、前記本体部は前記ハウジング部に対して移動することを防ぐ。
【００１２】
好ましくは、前記レーザポイント投射装置はスイッチをさらに備える。前記レーザポイント投射装置は第１の状態になるとき、前記スイッチがトリガされることなく、前記レーザポイント投射装置をオフにする。前記レーザポイント投射装置は第２の状態になるとき、前記スイッチがトリガされ、前記レーザポイント投射装置をオンにする。
【００１３】
好ましくは、前記スイッチは、前記本体部の上端側面に設けられ、前記レーザポイント投射装置内の電源回路と直列接続されるプッシュ式トリガスイッチである。前記レーザポイント投射装置はそれぞれ前記第１の状態又は前記第２の状態になるとき、前記スイッチが押下される状態、又は跳ね上がる状態になり、前記電源回路の切断又は導通の状態を切り替える。
【００１４】
好ましくは、前記レーザポイント投射装置は、前記ハウジング部の表面に設けられ、外部操作によって前記レーザポイント投射装置を開閉するスイッチボタンをさらに備える。
【考案の効果】
【００１５】
上記の技術的解決手段を用いて、従来技術と比較して、以下の利点を有する。
【００１６】
１．レーザポイント投射装置を使用する際にユーザは２つのアンカーポイントとも観察することができ、位置決めを容易にするように開口部の設計を追加した。
【００１７】
２．レーザポイント投射装置のコンパクトな設計を実現し、小型で軽量になり、ユーザが容易に使用する。
【００１８】
３．スイッチの設計を簡素化し、レーザポイント投射装置の全体構造の設計効果を最適化し、美しく実用化する。
【図面の簡単な説明】
【００１９】
【図１】本考案に係るレーザポイント投射装置の１つの好ましい実施形態の構造の概略図である。
【図２】本考案に係るレーザポイント投射装置の１つの好ましい実施形態の具体的構造の概略図である。
【図３】本考案に係るレーザポイント投射装置の他の１つの好ましい実施形態の具体的構造の概略図である。
【図４】本考案に係るレーザポイント投射装置の更なる１つの好ましい実施形態の具体的構造の概略図である。
【図５】本考案に係るレーザポイント投射装置の１つの好ましい実施形態の作動状態の概略図である。
【考案を実施するための形態】
【００２０】
次に、図面と具体的な実施例／実施形態を併せて、本考案の利点を説明する。
【００２１】
図１に示すように、図１は本考案に係るレーザポイント投射装置の１つの好ましい実施形態の構造の概略図である。前記レーザポイント投射装置１０は、ハウジング部１１と、本体部１２と、開口部１１４とを備える。
【００２２】
＜ハウジング部１１＞
前記ハウジング部１１は、前記レーザポイント投射装置１０の外部（外側部分）に設けられ、本体部１２の外周に嵌合されている。本実施形態では、前記レーザポイント投射装置１０は円筒状であるため、前記ハウジング部１１も円筒状である。
【００２３】
＜本体部１２＞
前記本体部１２は、前記レーザポイント投射装置１０の内部に設けられ、レーザポインタの主な構成要素であり、前記本体部１２には光源群が設けられ、前記光源群は同一の直線の二つの方向に沿ってそれぞれ第１のアンカーポイント３１と第２のアンカーポイント３２とを投射する。本実施形態では、前記レーザポイント投射装置１０は円筒状であるので、前記直線方向と前記円筒状の軸線が平行であり、前記第１のアンカーポイント３１と前記第２のアンカーポイント３２は前記本体部１２の二つの底面から投射されるものである。前記本体部１２は前記ハウジング部１１に対して移動することができ、即ち両方は相対運動をすることができ、前記レーザポイント投射装置１０を第１の状態２１又は第２の状態２２にさせる。図１に示すのは、第１の状態２１と第２の状態２２であり、前記レーザポイント投射装置１０は前記第１の状態２１になるとき、前記本体部１２は、前記ハウジング部１１と完全に一致するまで前記第１のアンカーポイント３１の方向に向かって移動し、即ち、前記本体部１２は第１の位置にあるとき、前記レーザポイント投射装置１０の軸方向の長さが最も短い。前記レーザポイント投射装置１０は前記第２の状態２２になるとき、前記本体部１２は、前記ハウジング部１１に対して軸方向に沿って前記第２のアンカーポイント３２に向かって引っ張られ、即ち、前記本体部１２は第２の位置にあるとき、前記レーザポイント投射装置１０の軸方向の長さが最も長い。前記レーザポイント投射装置１０は前記第１の状態２１と前記第２の状態２２との間で変化するとき、前記本体部１２は軸方向に沿って直接移動することができ、その移動軌跡は軸方向に沿った直線である。前記本体部１２は螺旋状の方式で移動してもよく、その移動軌跡は前記本体部の軸方向周りの螺旋線である。
【００２４】
＜開口部１１４＞
前記ハウジング部１１は、少なくとも一つの開口部１１４が設けられ、前記開口部１１４は扇形、円形、正方形、長方形、三角形などの幾何学的形状であってもよく、観察窓としての機能を有する。前記レーザポイント投射装置１０は、第２の状態２２になるとき、前記本体部１２は、前記第２アンカーポイント３２の方向に延在し、第１アンカーポイント３１に近接する前記ハウジング部１１の端部に中空空間が形成され、前記開口部１１４は観察窓として前記中空空間と外部空間とを連通する。ユーザは、前記開口部１１４によって前記中空空間の状況を観察することができ、特に前記レーザポイント投射装置１０を地面に配置して作業する場合に、前記開口部１１４から前記第１アンカーポイント３１の位置を観察することができ、ユーザは、追加の支持体なしに、位置決めを行い、非常に便利である。
【００２５】
前記レーザポイント投射装置１０の更なる改善として、前記レーザポイント投射装置１０は、スイッチ４０をさらに備える。
【００２６】
＜スイッチ４０＞
前記スイッチ４０は、前記レーザポイント投射装置１０に設けられ、前記レーザポイント投射装置１０の開閉を制御し、ボタン、キー、ロッカースイッチによって構成されてもよく、前記レーザポイント投射装置１０内の電源に接続され、電源供給回路を接続、又は切断（遮断）する。
【００２７】
前記レーザポイント投射装置１０の更なる改善として、前記スイッチ４０は前記本体部１２上に設けられてもよく、前記レーザポイント投射装置１０は前記第１の状態になるとき、前記スイッチ４０がトリガされていなく、前記レーザポイント投射装置１０がオフにされる。前記レーザポイント投射装置１０は前記第２の状態になるとき、前記スイッチ４０がトリガされ、前記レーザポイント投射装置１０がオンにされる。ユーザは、前記レーザポイント投射装置１０の状態のみを制御すれば、オン又はオフを同期に制御することができる。例えば、前記スイッチ４０は押下されるとオフになるスイッチタイプが用いられ、前記本体部１２の上端側面に設けられることができ、前記レーザポイント投射装置１０は前記第１の状態になるとき、前記本体部１２の上端は前記ハウジング部１１に重なり、前記スイッチ４０が押下されると、電源回路が切断（遮断）される。前記レーザポイント投射装置１０は前記第２の状態になるとき、前記本体部１２の上端は前記ハウジング部１１から突出し、前記スイッチ４０が押下されていなく、前記電源回路が導通される。
【００２８】
前記レーザポイント投射装置１０の更なる改善として、前記スイッチ４０は前記ハウジング部１１の外周面上に設けられてもよく、スイッチボタンの方式で実現する。ユーザは、前記レーザポイント投射装置１０が開閉されるように前記スイッチ４０を操作することができる。
【００２９】
図２に示すように、図２は本考案に係るレーザポイント投射装置１０の１つの好ましい実施形態の具体的構造の概略図である。具体的な構造を明瞭に表示するように図２における前記レーザポイント投射装置１０が構成された円筒状の側面を展開して平面となり、前記ハウジング部１１は、第１の突起部１１１と、第２の突起部１２１と、第１の溝１１５と、第２の溝１１６と、を備える。
【００３０】
＜第１の突起部１１１＞
第１の螺旋状傾斜面１１２と、第１の平面１１３とを備える第１の突起部１１１が、前記ハウジング部１１の表面に設けられている。前記第１の螺旋状傾斜面１１２と前記レーザポイント投射装置１０が構成された円筒状の側面と直交し、前記円筒状の底面と角度を有する。前記第１の平面１１３は、前記円筒状の底面に平行する。
【００３１】
＜第２の突起部１２１＞
第２の螺旋状傾斜面１２２と、第２の平面１２３と、第３の平面１２４とを備える第２の突起部１２１が、前記本体部１２の表面に設けられている。前記第２の螺旋状傾斜面１２２と前記第１螺旋状傾斜面１１２が平行である。前記第２の平面１２３と前記第１の平面１１３が平行であり、前記第３の面１２４と前記第１平面１１３が平行である。
【００３２】
図２では、左側部分（左の図）は前記レーザポイント投射装置１０が第１の状態２１になる場合であり、前記本体部１２は、前記ハウジング部１１に比較的接近する軸方向に沿って継続に移動することができないように、前記第１の螺旋状傾斜面１１２と前記第２の螺旋状傾斜面１２２とを貼り合わせ、前記第１の平面１１３と前記第３の平面１２４とを貼り合わせ、前記レーザポイント投射装置１０の軸方向長さをさらに短くすることができず、即ち、最も短い状態である。
【００３３】
図２では、右側部分（右の図）は前記レーザポイント投射装置１０が第２の状態２２になる場合であり、前記第１螺旋状傾斜面１１２と前記第２螺旋状傾斜面１２２とが離間され、前記第１の平面１１３と前記第２の平面１２３とを貼り合わせるように前記本体部１２が前記第１の状態２１における位置から螺旋状に上昇する軌跡に沿って移動する。前記本体部１２を軸方向に沿って前記第１の状態２１に戻って移動させることができないように前記第１の平面１１３と前記第２の平面１２３とを貼り合わせるによって、本体部１２が動作中に重力又はその他の外部力を受けて移動することを防止し、ストッパとして機能する。前記レーザポイント投射装置１０は前記第２の状態２２から前記第１の状態２１へ戻れば、前記本体部１２を前記第１の状態２１における位置まで螺旋状方向に沿って移動させる。
【００３４】
図３に示すように、図３は本考案に係るレーザポイント投射装置の他の１つの好ましい実施形態の具体的構造の概略図である。前記ハウジング部１１の表面には、第１の溝１１５が設けられている。
【００３５】
＜第１の溝１１５＞
前記第１の溝１１５は、前記軸方向に沿って延在し、即ち、前記円筒状の母線方向に沿って延在し、前記円筒状の底面に垂直（直交）する。前記第１の溝１１５は、前記ハウジング部１１が外側に窪む溝空間であってもよく、前記溝空間も円筒状であり、その底面は円弧状であってもよく、矩形であってもよい。
【００３６】
前記本体部１２の表面には、前記第１の溝１１５に平行する方向に延在する第３の突起部１２５が設けられ、即ち、前記第３の突起部１２５も、本体部の母線方向に沿って延在する。前記第３の突起部１２５の形状は前記第１の溝１１５に合わせ、前記第３の突起部１２５が前記第１の溝１１５に嵌入され、両方の間で軸方向に沿って移動することができ、前記本体部１２を前記ハウジング部１１に対して前記軸方向に沿って移動する。本実施形態における前記本体部１２は軸方向のみに移動することができ、回転することができない。
【００３７】
図４に示すように、図４は本考案に係るレーザポイント投射装置１０の更なる１つの好ましい実施形態の具体的構造の概略図である。前記ハウジング部１１の表面には、第２の溝１１６が設けられている。
【００３８】
＜第２の溝１１６＞
前記第２の溝１１６は、前記円筒状の半径方向に延在する。前記第２の溝１１６は前記ハウジング部１１の側面に設けられ、前記第２の溝１１６の延在方向は前記円筒状の底面に平行する。
【００３９】
前記本体部１２の表面には、前記第２の溝１１６に平行する方向に延在する第４の突起部１２６が設けられ、且つ前記第４の突起部１２６の形状は前記第２の溝１１６に合わせる。前記本体部１２は、前記ハウジング部１１に対して前記第２の位置に移動するとき、即ち、前記レーザポイント投射装置１０が前記第２の状態になるとき、前記第４の突起部１２６が前記第２の溝１１６に嵌入され、前記本体部１２が前記ハウジング部１１に対して移動することを防止し、制限位置として機能する。前記レーザポイント投射装置１０は前記第２の状態で動作するとき、前記本体部１２は、重力によって下方へ滑ることができず、安定した作動状態を確保する。前記レーザポイント投射装置１０は、前記第２の状態になる必要がないとき、ユーザは、外力で前記本体部１２を押圧する必要があり、前記第４の突起部１２６を前記第２の溝１１６から離脱させる。
【００４０】
図５に示すように、図５は本考案に係るレーザポイント投射装置１０の１つの好ましい実施形態の構造の概略図であり、図５に示すレーザポイント投射装置１０は作動状態になる。前記レーザポイント投射装置１０は部屋の床の上に配置され、施工位置決めのため、垂直方向に第１のアンカーポイント３１と第２のアンカーポイント３２をそれぞれ投射し、前記第１のアンカーポイント３１が部屋の床に投射され、前記第２のアンカーポイント３２が部屋の天井に投射される。前記レーザポイント投射装置１０は、本実施形態で用いた形態に限定されるものではなく、支持体上に配置してアンカーポイントを位置決めるため投射してもよく、水平方向にアンカーポイントを位置決めるため投射してもよい。
【００４１】
留意すべきは、本考案の実施例／実施形態は好ましい実施形態を有し、本考案を如何なる形式でも制限するものではなく、当業者は上記に開示の技術的内容と同等の変化である等価の実施形態を変更または修飾することができる。本考案の技術的解決手段内容から逸脱せず、本考案の実質的技術に基づいて上記の実施形態を如何に修正、同等の変化と修飾は、依然として本考案の技術的解決手段の保護範囲に属する。
【符号の説明】
【００４２】
１０    レーザポイント投射装置
１１    ハウジング部
１１１  第１の突起部
１１２  第１の螺旋状傾斜面
１１３  第１の平面
１１４  開口部
１１５  第１の溝
１１６  第２の溝
１２    本体部
１２１  第２の突起部
１２２  第２の螺旋状傾斜面
１２３  第２の平面
１２４  第３の平面
１２５  第３の突起部
１２６  第４の突起部
２１    第１の状態
２２    第２の状態
３１    第１のアンカーポイント
３２    第２のアンカーポイント
４０    スイッチ
【図１】
0003227853.tif 000003
【図２】
0003227853.tif 000004
【図３】
0003227853.tif 000005
【図４】
0003227853.tif 000006
【図５】
0003227853.tif 000007